(57)【要約】  低い温度差で高効率に動作する静的発電機において（１）、半透膜Ｉ（２）は異なる沸点の２つの溶液の間に位置し、そのうちの１つの溶液は吸水能を有していた。水が低沸点溶液（４）から蒸発していた一方、吸水可能な高沸点溶液（３）の温度は、水蒸気を吸収することによって上昇した。熱伝達（５）および水の移動（２）は、浸透の原理により、２つの溶液間で達成された。蒸発した水（６）は膨張し、凝縮器（７）で液化され、その後、低下した圧力により、再び蒸発する（１１）。高圧凝縮熱は、減圧において蒸発する水へ移った（１０）。不可逆的に増加する熱がシステムを妨害することを防止するために、一部の熱は周囲に放出された（８）。低い圧力における蒸発は、周囲温度から、または熱源により上昇する高温における改良された媒体から熱を奪っていた（１２）。水蒸気は、吸水可能な高沸点溶液（３）へ移され、溶液と混合した後（１３）に凝縮された（１６）。吸水可能な高沸点溶液（３）から、同様な圧力においてより低い沸点を特徴とする吸収能を持たない溶液までの、浸透の原理による熱伝達（５）および水の移動（１）が実現され、サイクルが完結した。電気は、熱電発電機（１８）を介して吸水可能な高沸点溶液（３）から低沸点の非吸水性溶液（４）へ伝熱することにより、熱電発電機（１８）で生成された。発生した電気は、コンバータおよびインバータ回路（２０）によって必要とされる電圧出力に変換され、使用可能な電気（２１）が出力部から生成された。【選択図】図１
2018524958.tif 000002
【特許請求の範囲】
【請求項１】
小さい温度差で、高効率に動作する静的発電機（１）であって、
沸点が異なる２つの溶液間に提供される１つの半透膜Ｉ（２）であり、その１つが吸水能を有する半透膜Ｉ（２）であり、
吸水可能な高沸点溶液（３）が、半透膜Ｉ（２）の下部から入り、内部の膜の溶液入口（３６）に位置し、
膜水路（３７）が壁から外側へ向かい、
半透膜Ｉ（２）の内部は、ナノ濾過セラミック膜層（３４）および浸透濾過高分子膜層からなり、
ＮａＣｌ（塩化ナトリウム）、ＫＣｌ（塩化カリウム）が溶解することによって形成された溶液が；水溶液中の塩のように吸収能は持たないが、水のイオン化率を増加させ；
低沸点のときに、同様な圧力における非吸水性の水溶液（４）が、水を蒸発させる沸点まで熱され、その蒸発した水は膨張し、加熱ロッドおよび水循環パイプ（１０）を介して移動することにより、より低い温度および圧力によって、凝縮器（７）内で液化し、
その後、液状の水は半浸透性のプレート膨張膜／バルブ（９）を通過し、減圧、およびより低い温度によって再び膨張し、蒸発し、
表面拡張板（８）が、システムを妨害する熱が不可逆的に増加する防ぐために、媒体へ水蒸気の熱を放出し、好ましくは、表面拡張板（８）上に熱電発電機（２２）を配置することにより、周囲に放出された排熱から電気を発生させ、その排熱が周囲の蒸発温度または熱源によって高まった周囲温度よりも低いと；熱は、拡大面または拡大面の渦巻／螺旋板（１２）によって外部に除去され、
吸水可能な高沸点溶液（３）は、水蒸気チャンバー（１３）に移動し、噴霧ノズル（１６）から噴霧された溶液を混合した後に凝縮し、
吸水可能な高沸点溶液（３）は、電気毛管の方法のような静的加圧の方法、または圧電型の加圧機（１７）により、毛細管（１４）の中で上昇し、圧電型噴霧装置または任意の噴霧装置（１５）によって、水蒸気中へと噴霧され、
吸水可能な高沸点溶液（３）の温度は、その中の凝縮した水蒸気の凝縮熱を放出することによって、吸水可能な高沸点溶液（３）の沸点の直前まで上昇し、
そして、同様な圧力における低沸点の非吸水性溶液（４）の温度は、沸点以上に上昇し、
そして、低沸点の非吸水性溶液（４）への水の移動および熱伝達が始まる、
という方法によってサイクルが完結し、
低い温度で水が蒸発する、円筒形の熱電発電機（１８）の吸水可能な高沸点溶液（３）は、熱を用いる円筒形の熱電発電機（１８）を通り、
電気は、熱電発電機（１８）において、熱電発電機（１８）を介する吸水可能な高沸点溶液（３）から低沸点の非吸水性溶液（４）への伝熱により、生成され、
プレート熱電発電機（２２）を介して周囲へと出された、および内部伝熱面（２４）からの排熱より、電気が発生し、
その後、電圧出力は、電気バー（１９）によりコンバータおよびインバータ回路（２０）を介して運ばれる必要とされる電気出力（２１）へ変換され、使用可能な電圧レベルへと低下し、そして必要に応じて直流から交流に変えられ、
少なくとも１つの差込口、ＵＳＢ差込口、車のシガレットライター、クリップ、接続バーまたは少なくとも１つの電気出力部（２１）を有することによって、システムの電気が使用される、
ことを特徴とする、静的発電機（１）。
【請求項２】
使用される半透膜Ｉ（２）は、沸点の異なる２つの溶液間の小さい温度差で高性能に動作することができる静的発電機（１）内に提供され、溶液の１つが吸水能を有する半透膜Ｉ（２）であり、
吸水可能な高沸点溶液（３）が、半透膜Ｉ（２）の下部から入り、内部の膜の溶液入口（３６）に位置し、
膜水路（３７）が、壁から外側へ向かい、
内部が、ナノ濾過セラミック膜層（３４）および浸透濾過高分子膜層（３５）からなり、
耐熱性のセラミック膜層（３４）が、内部で、吸水可能な高沸点溶液（３）の温度および濃度を変更するために使用され、
公知の技術では、セラミックのナノ濾過膜が、この温度および過酷な溶液環境において、ナノ濾過の濾過性能の最大限まで機能を発揮することができ、浸透濾過高分子膜層（３５）が、外側で使用され、
非吸水性溶液（４）と同様な圧力における低沸点の温度レベルが、公知の技術で生成された高分子膜の使用温度に適しており、
吸水可能な高沸点溶液（３）からの水路が外に向かって生じているため、外側の溶液密度（３７）が重要ではない、
請求項１に記載の静的発電機（１）。
【請求項３】
請求項１に記載の、小さい温度差で、高効率に動作する静的発電機（１）のためのシステムであって、該システムは、
熱水を蒸発させる高熱ガスまたは熱風を抑制するときに、蒸発する熱水を使用することにより、電気を生成するシステムへ排熱回収モジュール（２５）を組み込むことが可能であり、
排熱風−ガス入口接続部（２６）に接続し、壁噴流出口（２８）の周囲から空気の吸引を可能にするコアンダ原理によって気体燃料または熱風−高温ガス排熱を壁から噴霧し、エアー吸引ノズル（２９）から空気を混合することで、混合温度は、非吸水性溶液（４）の低い沸点の直前まで低下させることができるので、より生産的なシステム運用を提供することが可能であり、
空気−ガス入口接続部（２６）が、低下した周囲温度で接続されるとき、圧力が加えられた熱水は蒸発し、抑制された蒸発している水蒸気は、吸引した空気と混合した後に周囲温度を上昇させ、
空気−ガス接続部（２６）は、電気的に制御されるか手動で制御される、排熱調整弁（２７）によって調整された温度を用いて、周囲温度で混合物の量を評価し、ガス−空気混合物は、長距離表面温度拡張部／螺旋板（１２）をたどり、熱を除去した後に、排気口（３０）を通って出て、蒸発した熱水が使用されるとき、混合物の蒸発温度、および水蒸気の凝縮よって吸収された熱による低下温度、ならびに熱は、混合物から効率的に取り出される、
ことを特徴とする、システム。
【請求項４】
請求項１に記載の静的発電機（１）のためのシステムであって、該システムは、
ガス燃料または液体燃料システム（３１）を用いてシステムを動作させることが可能であり、
それが、天然ガスもしくはＬＰＧ、またはプロパンタイプの燃料で動作する場合、ガス入口は、空気−ガス入口接続部（２６）を通り、その圧力は、電気的にまたは手動で制御される排熱制御弁（２７）によって調整され、適宜に提供される空気の量および空気の吸引における圧力によって壁噴霧出口（２８）から噴霧され、
ガスは、ガス−空気混合物のための点火モジュール（３３）によって点火され、吸引した空気よりも多い空気と混合されて燃料は、完全に、および効率的に、確実に燃えるようにされ、
温度が燃料中の水蒸気の凝縮温度未満である場合、燃焼効率は、公知の技術で凝縮することにより１００％以上に改善することができ、
同様に、煙道ガスは、長距離表面温度拡張部／螺旋板（１２）をたどり、熱を除去した後に、排気口（３０）を通って出て、
液体燃料が使用される場合には；液体燃料タンク（３２）および圧電型タイプの液体燃料加圧ポンプ、そして好ましくは静止液体燃料噴霧装置（１５）が使用される、
ことを特徴とする、システム。
【発明の詳細な説明】
【技術分野】
【０００１】
本発明は、熱源を用いて電気を生成する発電機に関する。
【背景技術】
【０００２】
従来の発電技術には、蒸気サイクルを動力とする発電機、任意のタイプの機械的駆動で動作する機械的発電機、熱により電気を生成可能な熱電発電機、濃度差がある淡水−塩水溶液による逆浸透（ＲＯ）技術の発電システムが存在した。従来技術は、発電機、蒸化器、タービン、凝縮器およびポンプから構成された。ポンプで加圧された水を、ヒートポンプで蒸発させることで、その比容積を増加させ、高圧の、高い比容積を持つ蒸気動力は、タービン内の圧力差により機械的動力に変換された。熱効率は、放出される熱の割合と機械効率によって計算され、総収率は、熱効率、等エントロピー効率、機械効率および電気効率の積によって計算される。
【０００３】
【数１】
2018524958.tif 000003
【０００４】
【数２】
2018524958.tif 000004
【０００５】
従来技術では、機械的駆動で動く機械的発電機は、熱エネルギーの約２０％を電気エネルギーに変換できた。それらは、専用の燃料でしか動作することができなかった。それらは、再生可能資源から生成された、熱水および熱風で動作することができなかった。それらの雑音レベルは高かった。従来技術では、熱電発電機は、高い温度差において、収率７％まで、単独で動作することができた。従来技術では、ＲＯ技術を用いた発電システムは、塩水の連続源またはナトリウムブラインの定量消費を必要とした。このような理由で、それらは、海や川の合流点における設備の設置により、効率的に機能することができた。
【０００６】
特開昭６０−１７９１０３号公報では、水溶液の濃縮および熱回収のために開発されたプロセスおよび装置に言及していた。この発明は、蒸気の移動を示すが、流体通路を遮断することにより、溶液の濃縮のための膜を利用することによって熱を使用することなしに、高温および低温で熱エネルギーを回収していた。
2018524958.tif 000005
【０００７】
中国特許第１０３６７０７９１号明細書は、排熱回収のために開発され、冷却、加熱および動力供給システムで構成された組合せに言及していた。その発明的なシステムは、第１の煙道ガス出口と第２の煙道ガスパイプラインを迂回するガスエンジンを有していた。第１の煙道ガスは、熱電発電装置のサイクルに必要な温度差を作り出していた。第２のラインは、臭化リチウム吸収ヒートポンプの煙道ガスパイプラインと接続されていた。臭化リチウムヒートポンプは、第２のパイプラインの煙道ガスの加熱性能と冷却性能との間に、二重効果をもたらしていた。この発明により回収された排熱は、高温の煙道ガスの熱エネルギーを電気エネルギーへと変換した。
2018524958.tif 000006
【発明の概要】
【０００８】
小さい温度差で高効率に動作する静的発電機（ｓｔａｔｉｃ  ｅｌｅｃｔｒｉｃｉｔｙ  ｇｅｎｅｒａｔｏｒ）（１）において、半透膜Ｉ（２）は、異なる沸点を有する２つの溶液の間に配され、その１つは吸水能を有していた。水が低沸点溶液（４）から蒸発している間、吸水可能な高沸点溶液（３）の温度は、水蒸気を吸収することによって上昇した。浸透の原理により、伝熱と水の移動が、２つの溶液間で達成された。蒸発した水を膨張させ、凝縮器（７）中で液化し、再び減圧によって蒸発させた。高圧凝縮熱は、減圧下で蒸発している水に伝達された。不可逆的に増加する熱がシステムを妨害することを防止するために、一部の熱は周囲に放出される。低い圧力における蒸発は、周囲温度から、または熱源により上昇した高温で改良された媒体から熱を奪っていた。水蒸気は、吸水可能な高沸点溶液（３）に移動し、蒸気チャンバー（１３）内の溶液と混合された後に、凝縮された。水を、吸水可能な高沸点溶液（３）から、同圧力においてより低い沸点を特徴とする非吸水性の溶液（４）に移動させた後に、サイクルは完了した。電気は、熱電発電機（１８）において、熱電発電機（１８）によって吸水可能な高沸点溶液（３）から低沸点の非吸水性溶液（４）への伝熱により、生成される。発生した電気は、必要な電圧出力（２１）に変換され、これはコンバータおよびインバータ回路（２０）によって提供された。
【図面の簡単な説明】
【０００９】
添付された図は、小さい温度差で、高効率に動作する静的発電機を描写する。
【図１】本発明の、小さい温度差で動作する、高効率の静的発電機の概略図である。
【図２】本発明の、小さい温度差で動作する、高効率の静的発電機の設計図である。
【図３】排熱回収モジュールを含めた、本発明の、小さい温度差で動作する、高効率の静的発電機の図である。
【図４】燃料で動作する燃焼モジュールを含めた、本発明の、小さい温度差で動作する、高効率の静的発電機の設計図である。
【図５】半透膜の詳細および作動原理である。
【図６】排熱回収モジュールを含めた、本発明の、小さい温度差で動作する、高効率の静的発電機の設計図である。
【発明を実施するための形態】
【００１０】
各部分は、図において番号が付されており、それらの対応する用語を、以下に示す。
１．高効率の静的発電機（小さい温度差）
２．半透膜Ｉ
３．高沸点溶液（吸水能を特徴とする）
４．低沸点溶液（同圧力において、吸水能を特徴としない）
５．水移動表面Ｉ
６．水蒸気チャンバー
７．凝縮器
８．表面拡張板
９．膨張（膜／バルブ）要素
１０．加熱ロッド（ヒートパイプ）および水循環パイプ
１１．水蒸気チャンバー
１２．表面拡張部／螺旋板
１３．水蒸気チャンバー
１４．毛細管
１５．噴霧装置
１６．噴霧ノズル
１７．静止流体加圧機
１８．円筒形の熱電発電機
１９．電気接続バス
２０．コンバータおよびインバータ回路
２１．電気出力部
２２．プレート熱電発電機
２３．半透膜ＩＩ
２４．伝熱面ＩＩ
２５．排熱回収モジュール
２６．空気−ガス入口ノズル
２７．排熱制御弁
２８．壁噴流差込口
２９．吸気ノズル
３０．排気口
３１．燃焼モジュール
３２．液体燃料タンク
３３．点火モジュール
３４．ナノ濾過セラミック膜層
３５．浸透濾過高分子膜層
３６．膜溶液入口
３７．膜水路
【００１１】
小さい温度差で、高効率に動作する静的発電機（１）の発明であって、この静的発電機（１）は、
−異なる密度の２種類の水溶液において；あまり濃縮されていない環境から、より濃縮された環境へ、浸透の原理に従って水路機能の能力を有する、少なくとも１つのポリマーおよび／またはセラミック浸透半透膜Ｉ（２）、
−水中のＬｉＢｒ、ＬｉＣｌ、ＣａＣｌ２として塩の溶液で形成される、吸水性の特徴を有する、少なくとも１種類の吸水可能な高沸点溶液（３）、
−吸水能を持たないが、水のイオン化率を増加させるものであり；ＮａＣｌ（塩化ナトリウム）、ＫＣｌ（塩化カリウム）として水中の塩の溶液によって形成される；同圧力においてより低い沸点の溶液（４）、
−吸水可能な高沸点溶液（３）から、同圧力において低温で低沸点である非吸水性溶液（４）への伝熱を示す、少なくとも１つの伝熱面Ｉ（５）、
−同圧力において吸水能がない、低沸点溶液（４）から蒸発する蒸気のための、少なくとも１つの蒸気チャンバー（６）、
−水蒸気から熱を除去するための、および蒸気相を液相へと変換するための、少なくとも１つの凝縮器（７）、
−水蒸気の熱を媒体に放熱するために使用される；少なくとも１つの表面拡張板（８）、−液相の処理された水を膨張させるために使用される、少なくとも１つの半浸透膨張膜／バルブ（９）、
−高圧で凝縮水の凝縮温度を低圧の蒸発水に伝導し、排熱を蒸発水に移す、循環水を有する、少なくとも１つの加熱ロッドおよび水循環パイプ（１０）、
−低圧における蒸発のための、少なくとも１つの蒸気チャンバー（１１）、
−外部熱除去を提供する、少なくとも１つのシステム拡張部／螺旋板（１２）、
−吸水可能な高沸点溶液（３）のための、少なくとも１つの蒸気チャンバー（１３）、
−少なくとも１つの毛細管（１４）、
−吸水可能な高沸点溶液（３）から水蒸気を噴霧することを可能にする、少なくとも１つの圧電型噴霧装置または任意の噴霧装置（１５）、
−吸水可能な高沸点溶液（３）を噴霧する、少なくとも１つの噴霧ノズル（１６）、
−毛細管（１４）中の吸水可能な高沸点溶液（３）を揚液するために、電気毛管効果（ｅｌｅｃｔｒｏｃａｐｉｌｌｅｒ  ｅｆｆｅｃｔ）、および圧電ポンプにより溶液を加圧する、少なくとも１つの静止流体加圧機（１７）、
−円筒形の熱電発電機（１８）から、コンバータおよびインバータ回路（２０）へ、発生した電気を送る、少なくとも１つの電気接続バー（１９）、
−変更が必要な場合に、電圧および交流を直流に変える、少なくとも１つのコンバータおよびインバータ回路（２０）、
−電気の使用のための、少なくとも１つの差込口、ＵＳＢ差込口、車のシガレットライター、クリップ、接続バー、または少なくとも１つの電気出力部（２１）、
−好ましくは周囲に放出された熱から電気を発生させるための、プレート熱電発電機（２２）、
−傾いて、振動している状況のときに、水蒸気とＬｉＢｒとが無制御に混合されることを防止する、少なくとも１つの半透膜ＩＩ（２３）、
−円筒形の熱電発電機（１８）を介する、少なくとも１つの伝熱面（２４）、
−好ましくは熱風または高熱ガスの形態の熱の回収モジュール（２５）、
−好ましくは高熱ガス、熱風、蒸発する熱水、天然ガス、またはＬＰＧを抑制するときの、空気−ガス入口接続部（２６）、
−好ましくは電気的か手動の、１つの燃料−排熱制御弁（２７）、
−周囲からの空気を吸引することを可能にするコアンダ原理により、好ましくは気体燃料または熱風−高熱ガス排熱を壁から噴霧する、壁噴流出口（２８）、
−好ましくは周囲から空気を吸引するための、空気吸引ノズル（２９）、
−好ましくは熱風−高熱ガスまたは燃焼ガス混合物を、周囲へ放出する、排気口（３０）、
−好ましい燃焼モジュール（３１）、
−好ましくは、液体燃料貯槽（３２）、
−好ましくは点火モジュール（３３）、
の、上述の要素から構成される。
【００１２】
１つの半透膜Ｉ（２）は、１つが吸水能を有する、沸点の異なる２つの溶液間の小さい温度差で高性能に動作することができる静的発電機（１）内に提供された。吸水可能な高沸点溶液（３）は、半透膜Ｉ（２）の下部から入り、内部の膜の溶液入口（３６）に位置する。膜水路（３７）は、壁から始まり、外側へ向かう。内部は、ナノ濾過セラミック膜層（３４）および浸透濾過高分子膜層（３５）からなっていた。内部で、耐熱性のセラミック膜層（３４）は、吸水可能な高沸点溶液（３）の温度および濃度を変更するために使用された。公知の技術では、セラミックのナノ濾過膜は、この温度および過酷な溶液環境において、ナノ濾過の濾過性能の最大限まで機能を発揮することができ、浸透濾過高分子膜層（３５）は、外側で使用された。非吸水性溶液（４）と同様な圧力における低沸点の温度レベルは、公知の技術で生成された高分子膜の使用温度に適していた。吸水可能な高沸点溶液（３）からの水路は、外に向かって生じているため、外側の溶液密度（３７）は、重要ではなかった。
【００１３】
ＮａＣｌ（塩化ナトリウム）、ＫＣｌ（塩化カリウム）が溶解することによって形成された溶液は；水中の塩のように、吸収能は持たないが、水のイオン化率を増加させるため；水は、同様な圧力の低沸点非吸水性溶液（４）から蒸発し、沸点まで熱せられた。蒸発した水は、凝縮器（７）を通過し、ヒートパイプおよび水循環パイプを通り、低温で蒸発する水にその熱を移動し、凝縮する。
【００１４】
液状の水は、半透膜Ｉ（２）または膨張（膜／バルブ）要素（９）を通過することにより膨張し、減圧下において低温で再び蒸発する。非可逆性によるシステムの妨害を防止するために、熱量は表面拡張板（８）を介して周囲へ出される。好ましくは、プレート熱電発電機（２２）は、表面拡張板（８）に配置され、そしてある量の電気は周囲に放出された排熱から生成される。
【００１５】
それが、周囲の蒸発温度または熱源によって高まった周囲温度よりも低いと；熱は、拡大面または拡大面の渦巻／螺旋板（ｓｐｉｒａｌ／ｈｅｌｉｃａｌ  ｐｌａｔｅｓ）（１２）によって外部に除去される。
【００１６】
吸水可能な高沸点溶液（３）は、水蒸気チャンバー（１３）に移動し、噴霧ノズル（１６）から噴霧された溶液と混合した後に凝縮する。吸水可能な高沸点溶液（３）は、電気毛管の方法（ｅｌｅｃｔｒｏｃａｐｉｌｌｅｒ  ｍｅｔｈｏｄ）のような静的加圧の方法、または圧電型の加圧機（ｐｉｅｚｏｅｌｅｃｔｒｉｃ  ｐｒｅｓｓｕｒｉｚｅｒ）（１７）により、毛細管（１４）の中で上昇し、圧電型噴霧装置または任意の噴霧装置（１５）によって、水蒸気中へと噴霧される。
【００１７】
吸水可能な高沸点溶液（３）の温度は、その中の凝縮した水蒸気の凝縮熱を放出することによって、吸水可能な高沸点溶液（３）の沸点の直前まで上昇する。そして、同様な圧力における低沸点の非吸水性溶液（４）の温度は、沸点以上に上昇する。そして、低沸点の非吸水性溶液（４）への水の移動および熱伝達が始まる。この方法によって、サイクルが完成する。
【００１８】
低い温度で水が蒸発する、円筒形の熱電発電機（１８）の吸水可能な高沸点溶液（３）は、熱を用いて電気を生成する、円筒形の熱電発電機（１８）を通る。
【００１９】
電気は、熱電発電機（１８）において、熱電発電機（１８）を介する吸水可能な高沸点溶液（３）から低沸点の非吸水性溶液（４）への伝熱により、生成される。プレート熱電発電機（２２）を介して周囲へと出された排熱から、および内部伝熱面（２４）から、電気が発生する。その後、電圧出力は、電気バー（１９）によりコンバータおよびインバータ回路（２０）を介して運ばれた必要とされる電気出力（２１）へ変換され、使用可能な電圧レベルへと低下され、そして要求通りに直流から交流に変えられる。少なくとも１つの差込口、ＵＳＢ差込口、車のシガレットライター、クリップ、接続バーまたは少なくとも１つの電気出力部（２１）を有することで、システム電気（ｓｙｓｔｅｍ  ｅｌｅｃｔｒｉｃｉｔｙ）が使用される。熱水を蒸発させる高熱ガスまたは熱風を抑制するときに、蒸発する熱水を使用することにより、電気を生成するシステムへ排熱回収モジュール（２５）を組み込むことが可能である。
【００２０】
排熱風−ガス入口接続部（２６）に接続し、壁噴流出口（２８）の周囲からの空気の吸引を可能にするコアンダ原理によって気体燃料または熱風−高温ガス排熱を壁から噴霧し、エアー吸引ノズル（２９）から空気を混合することで、混合温度は、非吸水性溶液（４）の低い沸点の直前まで低下させることができるので、より生産的なシステム運用が提供され得る。
【００２１】
空気−ガス入口接続部（２６）が、低下した周囲温度で接続されるとき、圧力が加えられた熱水は蒸発し、抑制された蒸発している水蒸気は、吸引した空気と混合した後に周囲温度を上昇させる。空気−ガス接続部（２６）は、電気的に制御されるか手動で制御される、排熱調整弁（２７）によって調整された温度を用いて、周囲温度で混合物の量を評価する。ガス−空気混合物は、長距離表面温度拡張部／螺旋板（１２）をたどり、熱を除去した後に、排気口（３０）を通って出る。
【００２２】
蒸発した熱水が使用されるとき、混合物の蒸発温度、ならびに水蒸気の凝縮および熱によって吸収された熱による低下温度は、混合物から効率的に取り出される。ガス燃料または液体燃料システム（３１）を用いてシステムを動作させることも可能である。
【００２３】
このシステムが、天然ガスもしくはＬＰＧ、またはプロパンタイプの燃料で動作する場合、ガス入口は、空気−ガス入口接続部（２６）を通り、その圧力は、電気的にまたは手動で制御される排熱制御弁（２７）によって調整され、適宜に提供される空気の量および空気の吸引における圧力によって壁噴霧出口（２８）から噴霧される。
【００２４】
ガスは、ガス−空気混合物のための点火モジュール（３３）によって点火され、吸引した空気よりも多い空気と混合された燃料は、完全に、および効率的に、確実に燃えるようにされる。その温度が燃料中の水蒸気の凝縮温度未満である場合、燃焼効率は、公知の技術で凝縮することにより１００％以上に改善することができる。同様に、煙道ガスは、長距離表面温度拡張部／螺旋板（１２）をたどり、熱を除去した後に、排気口（３０）を通って出る。
【００２５】
液体燃料が使用される場合；液体燃料タンク（３２）および圧電型タイプの液体燃料加圧ポンプ、そして好ましくは静止液体燃料噴霧装置（１５）が使用される。
【図１】
2018524958.tif 000007
【図２】
2018524958.tif 000008
【図３】
2018524958.tif 000009
【図４】
2018524958.tif 000010
【図５】
2018524958.tif 000011
【図６】
2018524958.tif 000012
【国際調査報告】
2018524958.tif 000013
2018524958.tif 000014
2018524958.tif 000015